(57)【要約】      （修正有）【課題】隠蔽性に優れたクリアファイルを提供する。【解決手段】透明又は半透明のプラスチック製のシート本体に地紋印刷部５を設け、地紋印刷部５は、仮想矩形形枠の内側に第１ないし３の矩形模様印刷部１２，１３，１４が設けられていると共に、第１の辺印刷部１２Ａにおけるそれぞれの中間部より仮想矩形形枠の角に向けて直線状の放射方向印刷部１５を仮想矩形形枠の角側まで設けており、地紋印刷部５の内側のみならず外側をもカバーすることで、情報印刷部２３を隠蔽する。【選択図】図５
0003147969.tif 000002
【実用新案登録請求の範囲】
【請求項１】
透明又は半透明のプラスチック製のシート本体に地紋印刷部を設けたクリアファイルにおいて、前記地紋印刷部は、仮想矩形形枠の内側に次第に小さくなる第１ないし３の矩形模様印刷部が同軸状に設けられており、
前記第１の矩形模様印刷部の４つの第１の辺印刷部間のそれぞれの角は前記仮想矩形形枠のそれぞれの仮想辺の中間に接続又は近接するように設けられ、前記第２の矩形模様印刷部の４つの第２の辺印刷部間のそれぞれの角は前記第１の矩形模様印刷部のそれぞれの第１の辺印刷部の中間に接続又は近接するように設けられ、
前記第３の矩形模様印刷部の４つの第３の辺印刷部間のそれぞれの角は前記第２の矩形模様印刷部のそれぞれの第２の辺印刷部の中間に接続又は近接するように設けられ、
かつ前記第１の辺印刷部のそれぞれの中間部より前記仮想矩形形枠の角に向けて放射方向印刷部を該仮想矩形形枠の角に接続又は近接するように設けたことを特徴とする遮蔽性を有するクリアファイル。
【請求項２】
前記地紋印刷部は非白色系であって、前記シート本体の裏面に設けられると共に、この地紋印刷部を覆うように前記裏面に透明又は半透明の白色系印刷部を設けたことを特徴とする請求項１記載の遮蔽性を有するクリアファイル。
【請求項３】
前記シート本体の裏面並びに前記地紋印刷部の裏面と、前記白色系印刷部との間に、透明又は半透明な着色印刷部が設けられていることを特徴とする請求項２記載の遮蔽性を有するクリアファイル。
【請求項４】
前記仮想矩形形枠の１つの大きさは、前記１つの文字の大きさ又は１つの数字の大きさとほぼ同じであることを特徴とする請求項１〜３のいずれか1項に記載の遮蔽性を有するクリアファイル。
【請求項５】
前記矩形は正方形であることを特徴とする請求項１〜４のいずれか1項に記載の遮蔽性を有するクリアファイル。
【請求項６】
前記第１の辺印刷部は破線状に設けられ、前記第２の辺印刷部は中間部が欠いた状態の実線状に設けられ、前記第３の辺印刷部は破線状に設けられたことを特徴とする請求項１〜５のいずれか1項に記載の遮蔽性を有するクリアファイル。
【請求項７】
前記放射方向印刷部の内側は破線状に設けられ、前記放射方向印刷部の外側は実線状に設けられることを特徴とする請求項６記載の遮蔽性を有するクリアファイル。
【請求項８】
前記実線状の第２の辺印刷部の幅及び放射方向印刷部の外側の幅を、前記破線状の第１の辺印刷部の幅、第３の辺印刷部の幅及び放射方向印刷部の内側の幅より大きく設けることを特徴とする請求項７記載の遮蔽性を有するクリアファイル。
【請求項９】
前記仮想辺の長さを文字サイズで１１ポイント以下とし、前記実線状の第２の辺印刷部の幅及び放射方向印刷部の外側の幅を、０．０７〜０．０３ｍｍとし、前記破線状の第１の辺印刷部の幅、第３の辺印刷部の幅及び放射方向印刷部の内側の幅を０．０３〜０．０１ｍｍとすることを特徴とする請求項８記載の遮蔽性を有するクリアファイル。
【請求項１０】
前記シート本体の表面にエンボス加工部を設けたことを特徴とする請求項１〜９のいずれか１項に記載の遮蔽性を有するクリアファイル。
【考案の詳細な説明】
【技術分野】
【０００１】
本考案は、内側に書類などを収納するプラスチック製のシートからなる遮蔽性を有するクリアファイルに関するものである。
【背景技術】
【０００２】
従来、例えば見積書であるか否か、何の見積か等は一目で分かるようにしたいが、金額や明細などは関係者以外には、廊下ですれ違ったりした場合にも、分からないようにしたいものとして、無色または着色したプラスチック製のクリアホルダ等とも称するクリアファイルにおいて、少くとも片面のほぼ全面に、大きさが５ポイント以上１４ポイント以下で、字の太さが中字体以上の、文字または数字からなる地紋が該クリアファイルの表面側に施され、クリアファイルに挾んだ書類の内容は地紋によって判読不可能となるが、特別に大きく印刷されているタイトルや強調文字などは外からも判読可能となるシークレットファイルが知られている（例えば、特許文献１）。
【特許文献１】実用新案登録第３０３８０６８号公報
【考案の開示】
【考案が解決しようとする課題】
【０００３】
しかし、従来技術のような地紋が文字または数字からなるものにおいては、隠蔽すべき文字や数字の角が隠蔽しにくく、秘匿情報の一部が外部から見えてしまうようなおそれがある。さらに、地紋だけでは隠蔽が充分でないことがあり、さらなる印刷以外による対策も必要であった。
【０００４】
さらに、従来技術においては地紋の字の太さが中字体以上のものであるので、地紋印刷部が濃くなり、地紋の上から他の絵柄などを重ねると、その箇所が非透明になって収納した書類等自体が見えなくなってしまうおそれがある。同様に、従来のクリアファイルにおいて、イラストや写真など他の絵柄を、地紋の上から視認できるように重ねることは困難であった。
【０００５】
解決しようとする問題点は、隠蔽すべき文字や数字の角などを隠蔽できるようにする点である。さらに、地紋だけでは隠蔽できないものであっても、さらに確実に隠蔽ができるようにする点である。また、イラストや写真など他の絵柄を、地紋の上から視認できるように重ねることを容易にし、各種のデザインにも制約を与えないようにする点である。
【課題を解決するための手段】
【０００６】
請求項１の考案は、透明又は半透明のプラスチック製のシート本体に地紋印刷部を設けたクリアファイルにおいて、前記地紋印刷部は、仮想矩形形枠の内側に次第に小さくなる第１ないし３の矩形模様印刷部が同軸状に設けられており、
前記第１の矩形模様印刷部の４つの第１の辺印刷部間のそれぞれの角は前記仮想矩形形枠のそれぞれの仮想辺の中間に接続又は近接するように設けられ、前記第２の矩形模様印刷部の４つの第２の辺印刷部間のそれぞれの角は前記第１の矩形模様印刷部のそれぞれの第１の辺印刷部の中間に接続又は近接するように設けられ、
前記第３の矩形模様印刷部の４つの第３の辺印刷部間のそれぞれの角は前記第２の矩形模様印刷部のそれぞれの第２の辺印刷部の中間に接続又は近接するように設けられ、
かつ前記第１の辺印刷部のそれぞれの中間部より前記仮想矩形形枠の角に向けて放射方向印刷部を該仮想矩形形枠の角に接続又は近接するように設けたことを特徴とする遮蔽性を有するクリアファイルである。
【０００７】
請求項２の考案は、前記地紋印刷部は非白色系であって、前記シート本体の裏面に設けられると共に、この地紋印刷部を覆うように前記裏面に透明又は半透明の白色系印刷部を設けたことを特徴とする請求項１記載の遮蔽性を有するクリアファイルである。
【０００８】
請求項３の考案は、前記シート本体の裏面並びに前記地紋印刷部の裏面と、前記白色系印刷部との間に、透明又は半透明な着色印刷部が設けられていることを特徴とする請求項２記載の遮蔽性を有するクリアファイルである。
【０００９】
請求項４の考案は、前記仮想矩形形枠の１つの大きさは、前記１つの文字の大きさ又は１つの数字の大きさとほぼ同じであることを特徴とする請求項１〜３のいずれか1項に記載の遮蔽性を有するクリアファイルである。
【００１０】
請求項５の考案は、前記矩形は正方形であることを特徴とする請求項１〜４のいずれか1項に記載の遮蔽性を有するクリアファイルである。
【００１１】
請求項６の考案は、前記第１の辺印刷部は破線状に設けられ、前記第２の辺印刷部は中間部が欠いた状態の実線状に設けられ、前記第３の辺印刷部は破線状に設けられたことを特徴とする請求項１〜５のいずれか1項に記載のクリアファイルである。
【００１２】
請求項７の考案は、前記放射方向印刷部の内側は破線状に設けられ、前記放射方向印刷部の外側は実線状に設けられることを特徴とする請求項６記載の遮蔽性を有するクリアファイルである。
【００１３】
請求項８の考案は、前記実線状の第２の辺印刷部の幅及び放射方向印刷部の外側の幅を、前記破線状の第１の辺印刷部の幅、第３の辺印刷部の幅及び放射方向印刷部の内側の幅より大きく設けることを特徴とする請求項７記載のクリアファイルである。
【００１４】
請求項９の考案は、前記仮想辺の長さを文字サイズで１１ポイント以下とし、前記実線状の第２の辺印刷部の幅及び放射方向印刷部の外側の幅を、０．０７〜０．０３ｍｍとし、前記破線状の第１の辺印刷部の幅、第３の辺印刷部の幅及び放射方向印刷部の内側の幅を０．０３〜０．０１ｍｍとすることを特徴とする請求項８記載の遮蔽性を有するクリアファイルである。
【００１５】
請求項１０の考案は、前記シート本体の表面にエンボス加工部を設けたことを特徴とする請求項１〜９のいずれか１項に記載の遮蔽性を有するクリアファイルである。
【考案の効果】
【００１６】
請求項１の考案によれば、放射方向印刷部によって文字や数字の隅まで隠蔽でき、隠蔽性を向上することができる。
【００１７】
請求項２の考案によれば、白色系印刷部に対する地紋印刷部のコントラストを高めると共に、白色系印刷部に対する透過する文字、数字、図形などのコントラストを下げることで、地紋印刷部による隠蔽性をさらに向上することができる。
【００１８】
請求項３の考案によれば、着色印刷部によって模様や絵柄を自由にあらわすことができる。
【００１９】
請求項４の考案によれば、文字や数字などの隠蔽情報を隠蔽することができる。
【００２０】
請求項５の考案によれば、実線状の箇所においては、目の錯覚を起こさせて、読みにくくすることができ、破線状の箇所においては、見た目を良くすることができる。
【００２１】
請求項６の考案によれば、地紋の角において、目の錯覚を起こさせて、読みにくくすることができる。
【００２２】
請求項７の考案によれば、実線状の箇所においては、目をいっそう引き付けの錯覚を起こさせ、破線状の箇所においては、いっそう目立たなくすることができる。
【００２３】
請求項８の考案によれば、地紋が細線で構成されているので空隙が多く、そのため地紋の上から絵柄などを重ねても、シート本体の透明性或いは半透明性が確保され、文字、図面などの内容について遮蔽効果を確保しつつ、収納した書類の存在などを外部から視認することができる。
【００２４】
請求項９の考案によれば、文字又は数字と対応するように地紋が配置されるようになる。
【００２５】
請求項１０の考案によれば、エンボス加工部によって乱反射させて、隠蔽性をさらに向上することができる。
【考案を実施するための最良の形態】
【００２６】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２７】
図１〜５は実施例１を示しており、遮蔽性を有するクリアファイル１は、プラスチック製（例えばポリプロピレン製）の前後一対のシート２，３の１つの側辺２Ａに沿って接続されて二つ折りされたものであり、必要に応じて底辺２Ｂに沿って接続されている。そして、前後一対のシート２，３の間に後述する書類を収納して保管するようになっている。
【００２８】
前記前側のシート２は、プラスチック製の透明又は半透明のシート本体４の内側面たる裏面４Ａに、地紋印刷部５を多数並設して全面的に設ける。尚、ここで透明とは、くもりなく透き通ることであり、半透明とはくもりはあるがある程度透き通ることをいう。この地紋印刷部５は、黒色、青色等の非白色系である。そして地紋印刷部５の内側面たる裏面５Ａに、白地を形成する白インクなどによる透明又は半透明な白色系印刷部６を裏面４Ａに全面的に設けている。さらに、シート本体４の裏面４Ａ並びに地紋印刷部５の裏面５Ａと、白色系印刷部６との間に、模様や絵柄をあらわす透明又は半透明な着色印刷部７が設けられている。この着色印刷部７は必要に応じて設けられるもので、実施例ではシート本体４の上部側４Ｂには設けられておらず、中間部４Ｃ及び下部４Ｄに設けられている。実施例では、中間部４Ｃから下部４Ｄにかけて７色、例えば青色、桃色、黄色、オレンジ色、紫色、緑色、白色が設けられて模様が形成されている。尚、この模様はキャラクター図柄や、文字、数字或いは記号などでもよい。
【００２９】
一方、前記前側のシート本体４の外側面たる表面４Ｅには、エンボス加工部８が形成されている。このエンボス加工部８は表面４Ｅに凸が多数並設したものであり、可視光線など光を乱反射するようになっている。尚、このエンボス加工部８は、機械的に加工するものの他に以下に説明する擬似エンボス加工でもよい。この擬似エンボス加工は例えばハジキ印刷などとも称せられるもので、紫外線硬化型インキを用いる印刷層の表面上に、部分的又は全面に紫外線硬化型下刷りインキによる下刷り層が設けられ、前記印刷層及び下刷り層の上に紫外線硬化型ニスによるオーバープリント層が設けられ、前記下刷り層の上のオーバープリント層がハジキ現象によって凹凸模様を形成する印刷である。
【００３０】
前記地紋印刷部５は、非白色系としての黒色系や青色系の色を使用したものであって、これは１点鎖線で示した十文字仮想線10の交点を中心した２点鎖線で示した正方形の仮想矩形形枠11の内側に第１ないし３の正方形の矩形模様印刷部12，13，14が設けられている。第１の矩形模様印刷部12における４つの直線状な第１の辺印刷部12Ａ間のそれぞれの角12Ｂは仮想矩形形枠11のそれぞれ直線状の仮想辺11Ａの中間に接続するように設けられる。又は角12Ｂは仮想矩形形枠11のそれぞれ仮想辺11Ａの中間に近接するように設けられてもよい。
【００３１】
前記第２の矩形模様印刷部13における４つの第２の辺印刷部13Ａ間のそれぞれの角13Ｂは第１の矩形模様印刷部12のそれぞれの第１の辺印刷部12Ａの中間に接続するように設けられる。又は角13Ｂは第１の辺印刷部12Ａの中間に近接するように設けられてもよい。
【００３２】
前記第３の矩形模様印刷部14における４つの直線状な第３の辺印刷部14Ａ間のそれぞれの角14Ｂは第２の矩形模様印刷部13のそれぞれ直線状の第２の辺印刷部13Ａの中間に接続するように設けられる。又は角13Ｂは第２の辺印刷部12Ａの中間に近接するように設けられてもよい。
【００３３】
さらに前記第１の辺印刷部12Ａにおけるそれぞれの中間部より仮想矩形形枠11の角11Ｂに向けて直線状の放射方向印刷部15を仮想矩形形枠11の角11Ｂまで設けている。又は放射方向印刷部15は角11Ｂに近接するように設けられてもよい。
【００３４】
さらに、前記第１の辺印刷部12Ａは断続的に形成されて破線状に設けられている。また第２の辺印刷部13Ａは中間部13Ｃが欠いた状態の実線状に設けられ、第３の辺印刷部14Ａは破線状に設けられている。放射方向印刷部15の内側15Ａは破線状に設けられ、放射方向印刷部15の外側15Ｂは実線状に設けられている。
【００３５】
また、前記実線状の第２の辺印刷部13Ａの幅Ｘ及び放射方向印刷部15の外側15Ｂの幅Ｘを、前記破線状の第１の辺印刷部12Ａの幅Ｙ、第３の辺印刷部14Ａの幅Ｙ及び放射方向印刷部15の内側15Ａの幅Ｙより大きく設けている（Ｘ＞Ｙ）。
【００３６】
そして、仮想矩形形枠11の１つの大きさは前記情報印刷部23を形成する文字の1つ又は数字の１つの大きさとほぼ同じである。実施例では前記仮想辺11Ａの長さＬを文字サイズで11ポイント（3.865ｍｍ）以下とし、幅Ｘを０．０７〜０．０３ｍｍとし、前記幅Ｙを０．０３〜０．０１ｍｍとしている。
【００３７】
尚、後側のシート３は、前側のシート２と同様に地紋印刷部５、白色系印刷部６、着色印刷部７、エンボス加工部８のすべてまたはいずれか一部があってもよいし、書類の裏面が白紙のような場合にはなくともよい。
【００３８】
次にシート本体２，３に挟まれる書類20について説明する。この書類20の表面21は白色系であり、実施例では表面21のみに印刷部22，23が設けられたものであり、上部には「あいうえお」と表示されたタイトル（見出し）印刷部22が11ポイントより大きい大文字であらわされると共に、中間部と下部に「ＡＢＣＤＥ」と表示された情報印刷部23が11ポイントまたは11ポイントより小さくあらわされている。そして、タイトル印刷部22、情報印刷部23は黒色系である。尚、符号24はシート２と書類２０との間の隙間を示している。
【００３９】
次に前記構成についてその作用を説明する。書類20の表面21を裏面４Ａ（裏面５Ａ）に向けて収納すると、情報印刷部23としての一点鎖線で示した文字「Ａ」に地紋印刷部５が重ね合わされると「Ａ」は隠蔽される。この際、地紋印刷部５においては、内側に配置される第１ないし３の正方形の矩形模様印刷部12，13，14の他に、第１の辺印刷部12Ａのそれぞれの中間部より仮想矩形形枠11の角11Ｂに向けて放射方向印刷部15を該仮想矩形形枠11の角11Ｂに接続又は近接するように設けたことにより、地紋印刷部５の角においても情報印刷部23としての「Ａ」の細部を隠蔽することができる。
【００４０】
また、第２の辺印刷部13Ａは中間部13Ｃが欠いた状態の実線状に設けられると共に、放射方向印刷部15の外側15Ｂは実線状に設けられていることにより、これら実線状の箇所においては、目の錯覚を起こさせ、透ける文字や数字を隠蔽し、読みにくくすることができ、一方第１の辺印刷部12Ａ、第３の辺印刷部14Ａや放射方向印刷部15の内側15Ａは破線状に設けられているので、前記実線部を目立たなくして見た目を良くすることができる。
【００４１】
さらに、地紋印刷部５の内側面たる裏面５Ａに、白地を形成する白インクなどによる白色系印刷部６を全面的に設けていることで、白色系の色彩により隠蔽作用を向上することができる。
【００４２】
しかも、表面４Ｅに設けられたエンボス加工部８の凸によって、可視光線が乱反射することで、情報印刷部23の文字をいっそう隠蔽することができる。
【００４３】
一方、タイトル印刷部21は11ポイントより大きい大文字であらわされているので、タイトル印刷部21の文字は地紋印刷部５に重ね合わされても、これをはみ出ることで「あ」は隠蔽されることはない。
【００４４】
以上のように、前記実施例では請求項１に対応して、透明又は半透明のプラスチック製のシート本体２に地紋印刷部５を設け、地紋印刷部５は、仮想矩形形枠11の内側に第１ないし３の矩形模様印刷部12，13，14が設けられていると共に、第１の辺印刷部12Ａにおけるそれぞれの中間部より仮想矩形形枠11の角11Ｂに向けて直線状の放射方向印刷部15を仮想矩形形枠11の角11Ｂ側まで設けており、地紋印刷部５の内側のみならず外側をもカバーすることで、情報印刷部23を隠蔽することができる。
【００４５】
前記実施例では請求項２に対応して、地紋印刷部５は、黒色、青色などの非白色系であって、シート本体２の裏面４Ａに設けられると共に、この地紋印刷部５を覆うように前記裏面４Ａに透明又は半透明の白色系印刷部６を設けたことで、白色系印刷部６に対する地紋印刷部５の情報印刷部23とのコントラストを高めると共に、白色系印刷部６に対する透過する書類20の文字、数字、図形などのコントラストを下げることで、地紋印刷部５による隠蔽性をさらに向上して情報印刷部23の隠蔽性を向上することができる。
【００４６】
前記実施例では請求項３に対応して、シート本体４の裏面４Ａ並びに地紋印刷部５の裏面５Ａと、白色系印刷部６との間に、透明又は半透明な着色印刷部７が設けられることで、表面４Ｅ側に着色印刷部７による模様や絵柄を自由にあらわすことができる。
【００４７】
前記実施例では請求項４に対応して、前記仮想矩形形枠11の１つの大きさは、情報印刷部23をあらわす１つの文字の大きさ又は１つの数字の大きさとほぼ同じであることにより、文字又は数字と対応するように地紋印刷部５が配置されるようになる。
【００４８】
前記実施例では請求項５に対応して、仮想矩形形枠11及び第１ないし３の矩形模様印刷部12，13，14を正方形とすることにより、文字や数字などのようなほぼ外形が正方形に近似するような情報印刷部23を隠蔽することができる。
【００４９】
前記実施例では請求項６に対応して、第１の辺印刷部12Ａは破線状に設けられ、第２の辺印刷部13Ａは中間部13Ｃが欠いた状態の実線状に設けられ、第３の辺印刷部は14Ａ破線状に設けられたことで、実線状の箇所においては、目の錯覚を起こさせ、透ける文字や数字を隠蔽し、読みにくくすることができ、一方破線状の箇所においては、前記実線部を目立たなくすることができる。
【００５０】
前記実施例では請求項７に対応して、前記放射方向印刷部15の内側15Ａは破線状に設けられ、外側15Ｂは実線状に設けられることにより、角11Ｂ側において実線状の箇所においては、目の錯覚を起こさせ、透ける文字や数字を隠蔽し、読みにくくすることができ、破線状の箇所においては、前記実線部を目立たなくして見た目を良くすることができるので、地紋印刷部５の外側をカバーすることで、情報印刷部23を隠蔽することができる。
【００５１】
前記実施例では請求項８に対応して、前記実線状の第２の辺印刷部13Ａの幅Ｘ及び放射方向印刷部15の外側15Ｂの幅Ｘを、前記破線状の第１の辺印刷部12Ａの幅Ｙ、第３の辺印刷部14Ａの幅Ｙ及び放射方向印刷部15の内側15Ａの幅Ｙより大きく設けることで、実線状の箇所においては、目をいっそう引き付けの錯覚を起こさせ、破線状の箇所においては、いっそう目立たなくすることができる。
【００５２】
前記実施例では請求項９に対応して、前記仮想辺11Ａの長さＬを文字サイズで１１ポイント以下とし、前記実線状の幅Ｘを、０．０７〜０．０３ｍｍとし、前記破線状の幅Ｙを０．０３〜０．０１ｍｍとすることにより、最適な地紋印刷部５の形状とすることができる。
【００５３】
前記実施例では請求項１０に対応して、シート本体４の表面４Ｅにエンボス加工部８を設けたことで、表面４Ｅに当たる可視光線をエンボス加工部８の凸によって乱反射させて、情報印刷部23の隠蔽性をさらに向上することができる。
【実施例２】
【００５４】
図６は実施例２を示しており、前記実施例１と同一部分には同一符号を付し、その詳細な説明を省略する。実施例２においては、図６（Ａ）に示すようにシート本体４に地紋印刷部５を多数設け、そして多数の地紋印刷部５の一部に対応して文字、数字以外の表示である透明又は半透明な絵柄印刷部31を図６（Ｂ）に示すように重ね合わせて印刷したものである。尚、実施例では絵柄印刷部31は人形を多色刷りで表した場合を示している。
【００５５】
したがって、上述のような地紋印刷部５を用いることで、シート本体４に表した絵柄印刷部31を「人形形状」として視認することができ、絵柄印刷部31があっても地紋印刷部５により書類の情報印刷部（いずれも図示せず）の隠蔽性を向上することができ、さらに絵柄印刷部31を地紋印刷部５の上から視認できるように重ねることを容易にし、比較的自由なデザインを可能にすることができる。
【００５６】
図７は図６に示したものとの比較例を示したものであり、図７（Ａ）は大形の地紋印刷部32を絵柄印刷部31´に重ねて印刷したものであり、このようなものでは絵柄印刷部31´を認識することができない。図７（Ｂ）は絵柄印刷部31´´の箇所は地紋印刷部32を除いて絵柄印刷部31´´を視認しやすいようにしたものである。しかし、このようなものでは、絵柄印刷部31´´の部分の遮蔽効果が低下してしまう。
【００５７】
これに対して図６に示した実施例２では、図７に示したもののような問題を解決することができる。
【産業上の利用可能性】
【００５８】
以上のように本考案にかかる遮蔽性を有するクリアファイルは、各種の用途に適用できる。
【図面の簡単な説明】
【００５９】
【図１】本考案の実施例１を示す斜視図である。
【図２】同概略断面図である。
【図３】同地紋の平面図である。
【図４】同地紋の配置を示す平面説明図である。
【図５】同地紋と情報印刷部との使用状態の平面図である。
【図６】本考案の実施例２を示しており、図６（Ａ）は地紋印刷部と絵柄印刷部とを別々に示した平面図、図６（Ｂ）は地紋印刷部と絵柄印刷部とを重ねた状態の平面図である。
【図７】比較例を示しており、図７（Ａ）は大形の地紋印刷部と絵柄印刷部とを重ねた状態の平面図、図７（Ｂ）は絵柄印刷部に大形の地紋印刷部を除いた状態の平面図である。
【符号の説明】
【００６０】
１ クリアファイル
４ シート本体
4Ａ 裏面
４Ｅ 表面
５ 地紋印刷部
５Ａ 裏面
６ 白色系印刷部
７ 着色印刷部
８ エンボス加工部
11 仮想矩形形枠
11Ａ 仮想辺
11Ｂ 角
12 第１の矩形模様印刷部
12Ａ 第１の辺印刷部
12Ｂ 角
13 第２の矩形模様印刷部
13Ａ 第２の辺印刷部
13Ｂ 角
13Ｃ 中間部
14 第３の矩形模様印刷部
14Ａ 第３の辺印刷部
14Ｂ 角
15 放射方向印刷部
15Ａ 内側
15Ｂ 外側
Ｌ 長さ
Ｘ Ｙ 幅
【図１】
0003147969.tif 000003
【図２】
0003147969.tif 000004
【図３】
0003147969.tif 000005
【図４】
0003147969.tif 000006
【図５】
0003147969.tif 000007
【図６】
0003147969.tif 000008
【図７】
0003147969.tif 000009